(57)【要約】【課題】  不用意な取り扱いによるメモリカードの破壊を防止するとともに、メモリカードの着脱に際しての使い勝手を改善したデジタルカメラのメモリカードロック機構を提供する。【解決手段】  デジタルカメラに設けられたメインダイヤルスイッチ４２をオン操作したときにメリモカードＭＣの着脱ができないようにロックするロック機構５を備える。ロック機構５はメインダイヤルスイッチ４２がオンされたときにロック部材３４をメモリカードＭＣを着脱する際に開動作するスロット扉３２に設けたフック部材３３に係合させてスロット扉３２を閉じた状態に係止する。メインダイヤルスイッチ４２をオンしているときにはメモリカードＭＣの着脱ができなくなり、メモリカードＭＣに記録するデータの破壊やメモリカードＭＣ自体の破壊を防止する。また、メインダイヤルスイッチ４２をオフすればメモリカードＭＣの着脱が可能であるため使い勝手が改善される。【選択図】  図２
2007116218.tif 000002
【特許請求の範囲】
【請求項１】
メモリカードの着脱が可能なデジタルカメラであって、前記デジタルカメラに設けられた電源スイッチをオン操作したときに、そのオン操作に追従して前記メリモカードの着脱ができないようにロック動作するロック機構を備え、前記ロック機構は、電源スイッチがオン操作されたときに前記メモリカードを着脱する際に開動作する扉の一部に係合して前記扉を閉じた状態に係止するロック部材を備えることを特徴とするデジタルカメラのメモリカードロック機構。
【請求項２】
メモリカードの着脱が可能なデジタルカメラであって、前記デジタルカメラに設けられた電源スイッチをオン操作したときに、このオン操作に追従して前記メリモカードの着脱ができないようにロック動作するロック機構を備え、前記ロック機構は、メモリカードを着脱する際に開動作する扉の一部に係合して前記扉を閉じた状態に係止するロック部材と、電源スイッチがオン操作されたときに前記ロック部材のロック解除を係止させるロック係止手段とを備えることを特徴とするデジタルカメラのメモリカードロック機構。
【請求項３】
前記ロック部材又はロック係止部材は電源スイッチと機械的に連結され、電源スイッチをオン・オフ操作したときの操作力を前記ロック部材又はロック係止部材に伝達してロック又は係止とその解除を行うように構成したことを特徴とする請求項１又は２に記載のデジタルカメラのメモリカードロック機構。
【請求項４】
前記ロック部材又はロック係止部材と電源スイッチは連結ワイヤで連結され、電源スイッチのオン・オフ操作力を連結ワイヤを介してロック部材又はロック係止部材に伝達することを特徴とする請求項３に記載のデジタルカメラのメモリカードロック機構。
【請求項５】
前記ロック部材又はロック係止部材は電磁プランジャにより動作する構成とされ、電源スイッチをオン・オフ操作したときの電源のオン・オフによって前記電磁プランジャを動作し、ロック部材又はロック係止部材でのロック又は係止とその解除を行う構成としたことを特徴とする請求項１又は２に記載のデジタルカメラのメモリカードロック機構。
【発明の詳細な説明】
【技術分野】
【０００１】
本発明は画像データ等を記録するメモリカードを着脱可能に収納したデジタルカメラに関し、特にメモリカードへのデータの書き込み中に不用意にメモリカードをカメラから抜いてメモリカードが破壊されることを防止したメモリカードロック機構に関するものである。
【背景技術】
【０００２】
デジタルカメラの多くは撮像した画像データを記録するためのメモリカードを備えており、通常ではこのメモリカードを交換できるようにカメラに対して着脱可能な構成としている。一般にはカメラボディの内部にメモリカードを収納可能なスロットを設けておき、このスロットに対してメモリカードを挿入することで装着でき、スロットから引き抜くことで取り出すことができるようになっている。このようなデジタルカメラでは、メモリカードに画像データを書き込んでいるときに不用意にメモリカードをスロットから抜いてしまうと書き込み途中の画像データが破壊され、あるいはメモリカードが破壊されてしまうことがある。あるいは、メモリカードに対して何らかの処理、例えば初期化等の処理を実行しているときも同様である。そのため、従来からメモリカードに対してアクセスを行っているときにはメモリカードをスロットから引き抜くことができないようにした対策がとられている。
【０００３】
例えば、特許文献１では、ＩＣメモリカードのイジェクタボタンにカバーを設け、カバーがイジェクトボタンを覆うように閉じたときにはＩＣメモリカードを取り出すことができないようにする。また、同時にカバーに電源スイッチを連動させ、カバーが閉じた状態のときのみ電源スイッチがオンするようにする。この特許文献１では、カバーを閉じて電源スイッチがオンしているときにはイジェクタボタンを操作することができないため、ＩＣメモリカードを取り出すことができず、ＩＣメモリカードに対する画像データの書き込み中における不用意な引抜きが防止できる。
【０００４】
また、特許文献２では、メモリカード等の記録媒体の保護蓋を閉じると自動的にロックがかかって記録媒体を取り出すことができないようにし、保護蓋開成指示を受けたときにロックを解除するように構成する。特に、データを記録中は保護蓋開成指示が出されても無視され、ロックが解除されないようにする。
【特許文献１】実開平６−１９０５４号公報
【特許文献２】特開２００３−３１４１０１号公報
【発明の開示】
【発明が解決しようとする課題】
【０００５】
特許文献１の技術では、カバーが電源スイッチを兼ねているため、カバーを開いた状態で電源をオンすることができず、使い勝手が悪くなる。また、カバーをロックする機構が存在していないため、ＩＣメモリカードに対してアクセスしているときに誤ってカバーを開いてしまうことがあり、この場合には電源がオフされて例えば書き込み中のデータが破壊されてしまうという問題が生じる。また、特許文献２の技術では、保護蓋開成指示でロックを解除するために、電源をオンした状態でないとロック解除ができず、記録媒体の着脱時にはその都度電源をオンして保護蓋開成指示を出力させる必要があり、使い勝手が悪いという問題がある。
【０００６】
本発明の目的は、不用意な取り扱いによるメモリカードの破壊を防止するとともに、メモリカードの着脱に際しての使い勝手を改善したデジタルカメラのメモリカードロック機構を提供するものである。
【課題を解決するための手段】
【０００７】
本発明は、デジタルカメラに設けられた電源スイッチをオン操作したときにメリモカードの着脱ができないようにロックするロック機構を備え、当該ロック機構は、メモリカードを着脱する際に開動作する扉の一部に係合して扉を閉じた状態に係止するロック部材とを備える。あるいは、ロック機構は、メモリカードを着脱する際に開動作する扉の一部に係合して扉を閉じた状態に係止するロック部材と、電源スイッチをオン操作したときにロック部材によるロック解除を係止するためのロック係止部材を備える。
【発明の効果】
【０００８】
本発明によれば、デジタルカメラの電源スイッチをオン操作しているときにはロック機構がロック状態となってメモリカードを着脱する際に開動作する扉を閉じた状態に係止するため、メモリカードの着脱ができなくなり、メモリカードに記録するデータの破壊やメモリカード自体の破壊を防止する。また、電源スイッチをオフ操作すればメモリカードの着脱が可能であるため使い勝手が改善される。
【発明を実施するための最良の形態】
【０００９】
ロック部材又はロック係止部材は電源スイッチと機械的に連結され、電源スイッチをオン・オフ操作したときの操作力をロック部材又はロック係止部材に伝達してロック又は係止とその解除を行うように構成する。例えば、ロック部材又はロック係止部材と電源スイッチは連結ワイヤで連結され、電源スイッチのオン・オフ操作力を連結ワイヤを介してロック部材又はロック係止部材に伝達する。電力を消費することなくロック部材又はロック係止部材を操作できるので、カメラの消費電力を低減する上で有効である。
【００１０】
また、ロック部材又はロック係止部材は電磁プランジャにより動作する構成とされ、電源スイッチをオン・オフ操作したときの電源のオン・オフによって電磁プランジャを動作し、ロック部材又はロック係止部材でのロック又は係止とその解除を行う構成とする。既存のカメラに電磁プランジャを付設するだけで本発明のカメラが構成でき、カメラが大型化することが防止される。
【実施例１】
【００１１】
次に、本発明の実施例を図面を参照して説明する。図１は本発明を一眼レフデジタルカメラに適用した実施例１の部分分解斜視図、図２は同デジタルカメラの一部を背面側から見た透視的な斜視図である。これらの図において、デジタルカメラは前カバー２を装着したカメラ内部構体１と、後カバー３と、上カバー４とに分解した状態を示している。前カバー２の前面にはレンズマウント２１が配設される。カメラ内部構体１の内部にはメインミラー１２を有するミラーボックス１１が設けられ、上部にはペンタプリズム１３、ＬＣＤ表示装置１４、ファインダ光学系１５等が配設される。さらに、カメラ内部構体１の正面から見て（以下、同様）左側の後面側の位置にはメモリカードスロット１６が設けられ、このメモリカードスロット１６の左側に向けられた開口１６１を通して図２に示すメモリカードＭＣがカメラ内部構体１の左側面方向から着脱可能に構成されている。後カバー３には撮影画像を表示するためのＬＣＤモニタ装置３１が配設されるとともに、当該後カバー３の内面一部には前記メモリカードスロット１６に対応する位置にメモリカード挿入窓３１が設けられ、かつこのメモリカード挿入窓３１を開閉するヒンジ構造のスロット蓋３２が設けられる。上カバー４には撮影を行うためのレリーズ釦４１が配設されるとともに、カメラ電源をオン・オフするためのメインスイッチダイヤル４２が配設される。また、前記ＬＣＤ装置１４の表示窓４３やモード設定ダイヤル４５が配設される。そして、前記メインスイッチダイヤル２１と前記スロット扉３２との間にわたって連結ワイヤ６が延設され、後述するメモリカードロック機構５が構成されている。
【００１２】
図３は前記メモリカードスロット１６を含むカメラの一部の水平方向の断面図である。前記カメラ内部構体１の一部に左側方向からメモリカードＭＣを抜き差し可能なメモリカードスロット１６の開口１６１が配設されている。このメモリカードＭＣは例えばＳＤカードで構成されており、メモリカードスロット１６内には挿入されたＳＤカードＭＣに電気接続されるＳＤカードコネクタ１６２が配設されている。また、前記メモリカードスロット１６の開口１６１に臨む前記後カバー３の左側面の一部に前記したメモリカード挿入窓３１が開口されており、このメモリカード挿入窓３１を前記したスロット扉３２で開閉する。このスロット扉３２は前側の縁部において垂直方向の軸を有するヒンジ３３で後カバー３に連結されており、このヒンジ３３を軸にして図３に実線で示す状態に回動位置されたときにメモリカード挿入窓３１を閉じ、同図に鎖線で示す状態に回動位置されたときにメモリカード挿入窓３１を開くようになっている。なお、図には表れないがスロット扉３２には扉を閉じる方向に付勢するスプリングが設けられており、常態ではスロット扉３２はメモリカード挿入窓３１を閉じており、スプリング力に抗して手操作等によってスロット扉３２を回動することでメモリカード挿入窓３１を開くことが可能である。
【００１３】
さらに、前記スロット扉３２に臨む前記後カバー３の内面一部にはロック機構５が設けられている。このロック機構５は図４（ａ）に正面構成を示すように、前記スロット扉３２の内面にはフック部材３３が一体的に固定されるとともに、当該スロット扉３２に隣接する後カバー３の内面には前記フック部材３３に係合するロック部材３４を備えている。前記フック部材３３は下向きのＬ字型をしたフック片３３１を有している。また、ロック部材３４は上向きのＬ字型をしたロック片３４１を有している。前記ロック部材３４は上下方向に向いた長穴３４２を有するとともに、この長穴３４２を挿通するネジ３４３により後カバー３の内面に取着されており、長穴３４２をネジ３４３に対して上下方向に摺動させることでロック部材３４自身を上下に移動させることができる。このロック部材は同図のように、下方に移動されたときにはロック片３４１がフック片３３１との係合から外れてスロット扉３２を開閉することができるが、ロック部材３４が上方に移動されたときにはロック片３４１がフック片３３１に係合してスロット扉３２を閉じた状態にロックするようになっている。
【００１４】
そして、前記ロック部材３４の上端部には前記連結ワイヤ６の一端が連結されている。この連結ワイヤ６は細長い外筒６１の内部にワイヤ６２が挿通されており、外筒６１内でワイヤ６２が長さ方向に摺動可能とされたものである。外筒６１の一端部は前記ロック部材３４の直上位置において後カバー３の内面に下向きに固定されており、ワイヤ６２の一端部６３は下向きに外筒から突出されて前記ロック部材３４に連結されている。連結構造としては、ワイヤ６２の一端部６３をＴ字型に形成し、このＴ字型を利用して一端部６３をロック部材３４に設けた逆Ｔ字型の凹部３４４に嵌合させる構造が取られている。
【００１５】
一方、図５に概略平面構造を示すように、前記連結ワイヤ６の他端部は前記メインスイッチダイヤル４２に連結されている。前記メインスイッチダイヤル４２は回転操作されたときにカメラの電源をオン・オフさせるように構成されているが、このスイッチ構造はこれまでのカメラに適用された構造と同じであるので、その詳細についての説明は省略する。前記連結ワイヤ６の外筒６１の他端部はメインスイッチダイヤル４２の近傍位置においてカメラ内部構体１に固定され、ワイヤ６２の他端部６４はＴ字型に形成され、この他端部６４においてメインスイッチダイヤル４２の一部に連結されている。メインスイッチダイヤル４２の一部にはＴ字型の凹部４２１が設けられ、前記他端部６４が係止されている。ワイヤ６２の他端部６４はメインスイッチダイヤル４２の回転接線方向に向けて連結されているため、メインスイッチダイヤル４２を回転したときにワイヤ６２は外筒内６１で長さ方向に摺動される。この実施例１ではメインスイッチダイヤル４２は時計回り方向に回動したときに電源がオンするように構成されており、メインスイッチダイヤル４２をオン操作したときにはワイヤ６２の他端部６４は外筒６１から引き出されるように動作することになる。
【００１６】
このメモリカードロック機構５によれば、メインスイッチダイヤル４２が電源オフの回動位置にあるときには連結ワイヤ６のワイヤ６２の他端部６４は外筒６１内に押し込まれているため、ワイヤ６２の一端部６３は外筒６１の一端部から突き出た状態となり、ロック部材３４を図４（ａ）のように下方に押し下げている。そのため、ロック片３４１はスロット扉３２のフック部材３３のフック片３３１とは外れた状態にあり、ロックが解除された状態にある。そのため、スロット扉３２を開閉させることが可能となり、スロット扉３２を開いたときにはメモリカード挿入窓３１を通してメモリカードスロット１６の開口１６１を露呈し、ＳＤカードＭＣの抜き差しが可能になる。
【００１７】
一方、メインスイッチダイヤル４２を電源オフの位置から時計回り方向に回動して電源オンの回動位置にしたときには、連結ワイヤ６のワイヤ６２の他端部６４は外筒６１内から引き出されるため、ワイヤ６２の一端部６３は外筒６１の一端部内に引き込まれた状態となり、ロック部材３４を図４（ｂ）のように上方に引き上げる。そのため、ロック部材３４のロック片３４１はスロット扉３２のフック部材３３のフック片３３１に係合してロック状態となり、スロット扉３２の開閉はできなくなり、スロット扉３２を閉じた状態にする。これにより、カメラの電源がオンされているときにメモリカードスロット１６に対するＳＤカードＭＣの抜き差し、特にメモリカードスロット１６からＳＤカードＭＣを抜き出すことができなくなり、ＳＤカードＭＣに記録するデータの破壊やＳＤカードＭＣ自体が破壊されることが防止される。
【００１８】
ここで、前記実施例１ではメインスイッチダイヤル４２を操作したときの回動力を連係ワイヤ６によりロック部材３４にまで伝達してロック部材３４でのロックと解除の各動作を行うように構成しているが、レバー機構やリンク機構によってメインスイッチダイヤルの回動力をロック部材に伝達するようにしてもよい。あるいは、連結ワイヤとレバー機構やリンク機構とを組み合わせた構成としてもよい。また、ロック部材は実施例１に記載の構成に限られるものではなく、移動位置の変化によってスロット扉をロックし或いはロック解除する構成であれば適宜の変更は可能である。
【実施例２】
【００１９】
図６−Ａはメモリカードロック機構５の実施例２の要部を示す正面図であり、実施例１のスロット扉３２に設けたロック機構に対応する図である。同図において、実施例１と同様にスロット扉３２にはフック部材３３が設けられ、カメラの後カバー３には当該フック部材３３のフック片３３１に係合可能なロック片３４１を有するロック部材３４が上下に移動可能に支持されている。ここで、フック片３３１とロック片３４１との係合構造は実施例１とは上下方向が反対になっている。実施例２では前記ロック部材３４は引っ張りスプリング３７によって図の下方に付勢されており、この付勢力によってロック部材３４は下方に移動されてロック片３４１がフック片３３１に係合し、スロット扉３２の開閉動作を係止する。また、図には表れないがロック部材３４の一部は後カバー３の外側に突出されており、引っ張りスプリング３７の付勢力に抗して後カバー３の外部から手操作によってロック部材３４を上方に移動させることでロック片３４１とフック片３３１との係合が外れ、ロックが解除されてスロット扉３２を開閉させることが可能とされている。
【００２０】
前記後カバー３の内面の前記ロック部材３４を隣り合う位置には支軸３５１によってロック係止部材３５が回動可能に支持されている。ロック係止部材３５はＬ字型のレバーとして構成され、一端部３５２は電磁プランジャ３６のアマチュア３６１に連結されている。この電磁プランジャ３６はコード３６２によって図には表れないカメラの電源回路に接続されており、メインスイッチダイヤル４２を回動して電源をオン・オフしたときに、これに連動して電力が供給され、あるいは供給されないようになっている。この電磁プランジャ３６は電源がオフのときにはアマチュア３６１を上方に引き上げており、電源がオンされたときにはアマチュア３６１を下方に押し出してロック係止部材３５を時計回り方向に回動させる。また、ロック係止部材３５の他端部３５３には係止凹部３５４が設けられており、ロック係止部材３５が図の時計回り方向に回動されたときに当該係止凹部３５４がロック部材３４の一部に設けた角部３４４に当接し、ロック部材３４が上方に移動できないように係止する。
【００２１】
実施例２のメモリカードロック機構５によれば、メインスイッチダイヤル４２が電源をオフする回動位置にあるときには、図６−Ａのように、電磁プランジャ３６には電力が供給されないため、アマチュア３６１は上方に引上げられており、ロック係止部材３５は反時計回り方向の位置にある。そのため、ロック係止部材３５の係止凹部３５４はロック部材３４の角部３４４に当接する位置から外れた位置にある。したがって、手操作によってロック部材３４を上方に引上げてロック片３４１をフック部材３３のフック片３３１から外し、ロックを解除することができる。そのため、スロット扉３２を開閉させることができ、スロット扉３２を開いたときにはメモリカード挿入窓３１を通してメモリカードスロット１６を露呈し、ＳＤカードＭＣの抜き差しが可能になる。
【００２２】
一方、メインスイッチダイヤル４２をオフの回動位置にして電源をオンする回動位置にしたときには、図６−Ｂのように、電磁プランジャ３６には電力が供給され、アマチュア３６１が下方に押し出されてロック係止部材３５を時計回り方向に回動する。そのため、ロック係止部材３５の他端部３５３の係止凹部３５４がロック部材３４の角部３４４に当接し、ロック部材３４を下方位置に係止する。これにより、カメラ外部からロック部材３４を操作して上方に移動させることができなくなり、ロック部材３４のロック片３４１はフック部材３３のフック片３３１に係合したロック状態が保持され、スロット扉３２の開閉はできなくなり、スロット扉３２を閉じたままの状態にする。したがって、カメラの電源がオンされているときにメモリカードスロット１６に対するＳＤカードＭＣの抜き差し、特にメモリカードスロット１６からＳＤカードＭＣを抜き出すことができなくなり、ＳＤカードＭＣに記録するデータの破壊やＳＤカードＭＣ自体が破壊されることが防止される。
【００２３】
ここで、実施例２の電磁プランジャ３６やロック係止部材３５の構成は、電源のオン・オフに連動してロック部材３４のロックと解除を行うことが可能な構成であれば前述の構成に限られるものではなく適宜に変更することが可能である。また、実施例２では、ロック係止部材３５によりロック部材３４でのロックとその解除を行うように構成しているので、電磁プランジャ３６に通電していなくてロック部材３４の係止が行われない場合でも、手操作によってロック部材３４を操作しなければスロット扉３２を開けることができないため、スロット扉３２が不用意に開くようなことはない。
【００２４】
また、実施例２のロック係止部材３５は実施例１のロック機構のロック部材３４を係止するように構成してもよく、この場合にはロック係止部材３５を連結ワイヤ６を介してメインスイッチダイヤル４２に連結し、メインスイッチダイヤル４２の回動によってロック係止部材３５によるロック部材３４の係止、解除を行うようにしてもよい。反対に、実施例２のロック係止部材３５を省略し、ロック部材３４を直接電磁プランジャ３６によって動作してロックと解除を行うようにしてもよい。この場合にはスロット扉３２は実施例１と同様にスプリング等によって不用意に開放しないように構成しておくことが肝要である。
【図面の簡単な説明】
【００２５】
【図１】実施例１のデジタルカメラの一部分解斜視図である。
【図２】メモリカードスロットを含む部分の水平断面図である。
【図３】後カバーの一部を外側から見た斜視図である。
【図４】実施例１のロック機構の構成と動作を説明する正面図である。
【図５】メインスイッチダイヤル部分の平面構成図である。
【図６−Ａ】実施例２のロック機構の構成と係止動作を説明する正面図である。
【図６−Ｂ】実施例２のロック機構の構成と係止解除動作を説明する正面図である。
【符号の説明】
【００２６】
１  カメラ内部構体
２  前カバー
３  後カバー
４  上カバー
５  メモリカードロック機構
６  連結ワイヤ
３１  メモリカード挿入窓
３２  スロット扉
３３  フック部材
３４  ロック部材
３５  ロック係止部材
３６  電磁プランジャ
４２  メインダイヤルスイッチ
ＭＣ  メモリカード
【図１】
2007116218.tif 000003
【図２】
2007116218.tif 000004
【図３】
2007116218.tif 000005
【図４】
2007116218.tif 000006
【図５】
2007116218.tif 000007
【図６−Ａ】
2007116218.tif 000008
【図６−Ｂ】
2007116218.tif 000009